(57)【要約】【課題】運行状態が安定で、寿命が長く、電気回路の構造がシンプルで、コストが低く、コンパクトな単相交流モーターの電子起動回路を提供する。【解決手段】  単相交流モーターの電子起動回路には、点検回路（2）や、整流ウエーブフィルター回路（3）、トリガー回路（4）及び電子スイッチ回路（5）などが含まれており、その中の点検回路（2）はモーターのメインコイル（1）と直列連結となっており、電子スイッチ回路（5）はモーター起動コイル（6）と直列連結となっており、点検回路（2）はモーターのメインコイル（1）電流パラメータを点検信号に転換させるが、当該点検信号は整流ウエーブフィルター回路（3）の処理を経て、トリガー回路（4）の入力端に送られ、トリガー回路（4）は当該点検回路の信号によって、電子回路スイッチ（5）の開閉をコントロールし、モーター起動コイル（6）のオン又はオフをコントロールする。【選択図】図１
2009165341.tif 000002
【特許請求の範囲】
【請求項１】
点検回路（2）や、整流ウエーブフィルター回路（3）、トリガー回路（4）及び電子スイッチ回路（5）などを含む装置において、その中の点検回路（2）はモーターのメインコイル（1）と直列連結となっており、電子スイッチ回路（5）はモーター起動コイル（6）と直列連結となっており、点検回路（2）はモーターのメインコイル（1）電流パラメータを点検信号に転換させるが、当該点検信号は整流ウエーブフィルター回路（3）の処理を経て、トリガー回路（4）の入力端に送られ、トリガー回路（4）は当該点検回路の信号によって、電子回路スイッチ（5）の開閉をコントロールし、モーター起動コイル（6）のオン又はオフをコントロールすることを特徴とする単相交流モーターの電子起動回路。
【請求項２】
請求項1において、前記点検回路(2)は、モーターのメインコイル（1）上に直列連結される精密ノンインダクティブレジスタンスR1となっており、精密ノンインダクティブレジスタンスR1の抵抗値範囲は、20mΩ〜100mΩであることを特徴とする単相交流モーターの電子起動回路。
【請求項３】
請求項1又は2において、前記トリガー回路（4）は主に光電双方向サイリスター駆動器IC1によって構成されることを特徴とする単相交流モーターの電子起動回路。
【請求項４】
請求項1又は2において、前記電子スイッチ回路（5）には一つの双方向サイリスターBGが含まれることを特徴とする単相交流モーターの電子起動回路。
【請求項５】
請求項4において、電子スイッチ回路（5）には、また、1つの電圧依存性抵抗R5を含ませることができ、電圧依存性抵抗R5は双方向サイリスターBGと並列連結されることを特徴とする単相交流モーターの電子起動回路。
【請求項６】
請求項4において、前記モータ起動コイル（6）の作動回路の電源入力端には電源極性切り替え装置が接続されることを特徴とする単相交流モーターの電子起動回路。
【請求項７】
請求項1又は2において、前記整流ウェーブフィルター回路（3）には1つのダイオードD1や、コンデンサーC1、コンデンサーC2が含まれることを特徴とする単相交流モーターの電子起動回路。
【発明の詳細な説明】
【技術分野】
【０００１】
本発明は単相交流モーターの電子起動回路に関わるものである。
【背景技術】
【０００２】
単相交流モーターは構造がシンプルで、強度及び性能が優れていると言うことによって、冷蔵庫や、冷凍機、エアコン、洗濯機、ドライヤー、扇風機、ポンプなどの家庭用品又は工業分野に広く応用されている。一般的に、三相交流モーターの場合は、三相交流に接続された後、モーターの回転子コイルに電流を流せることによって回転磁場を形成し、回転子を誘導させて、回転子を回転させるが、単相交流モーターの場合は、極性と強度の交錯変化する磁場を形成することしかできなく、回転磁場は形成できないので、単相交流モーターの場合は、回転子を回転させるために、回転磁場を別途にデザインしなければならない。つまり、単相交流モーターは自ら起動することができない。一般的に、起動方法によって、相分け式や、コンデンサー式及び隈取コイル式などに分けられる。
【０００３】
これらの単相交流モーターは一般的に、籠式回転子と2つのコイルを取り付けたコイル回転子となっており、メインコイルを運行コイルに、サブコイルを起動コイルとしている。モーターの起動段階において、メインコイルに交番電圧を提供するとともに、起動コイルに一時交番電圧を提供することによって、起動コイルの電流とメインコイル電流との間に約90度の位相差を形成させて、回転子のエアスペースにて回転する磁場を形成させる。コンデンサー起動式の場合は、起動コイル上に大容量のコンデンサーを直列連結して、メイン・サブコイルの間に90度の位相差を形成させる。モーター起動段階において、起動コイルに一時電圧を提供するために、一般的に、起動コイル上に機械式遠心スイッチを設置して、モーターの起動段階において、回転スピードがシンクロナス回転スピードの70〜85％になると、遠心スイッチは遠心力によって、起動コイルを「切」にし、メインコイルだけが続けて運行されるようになっている。ところが、機械式遠心スイッチには機械式コンタクトがあり、スイッチの開閉の際はアークが発生するので、遠心スイッチの寿命が短くなり、安定性も落ちる。それと同時に、機械式遠心スイッチはモーターの中に内蔵させなければならないので、モーターの体積を大きくするだけでなく、資材のコストも高くなる。
【発明の開示】
【発明が解決しようとする課題】
【０００４】
本発明の目的は、運行状態が安定で、寿命が長く、電気回路の構造がシンプルで、コストが低く、コンパクトな単相交流モーターの電子起動回路を提供することである。
【課題を解決するための手段】
【０００５】
本発明は次の手段によって実現される。単相交流モーターの電子起動回路には、点検回路や、整流ウエーブフィルター回路、トリガー回路及び電子スイッチ回路などが含まれており、その中の点検回路はモーターのメインコイルと直列連結となっており、電子スイッチ回路はモーター起動コイルと直列連結となっており、点検回路はモーターのメインコイル電流パラメータを点検信号に転換させるが、当該点検信号は整流ウエーブフィルター回路の処理を経て、トリガー回路の入力端に送られ、トリガー回路は当該点検回路の信号によって、電子回路スイッチの開閉をコントロールし、モーター起動コイルのオン又はオフをコントロールする。この回路は構造がシンプルで、コンタクトがなく、開閉回数の制限を受けないので、運行の安定性が高く、寿命が長く、コンパクトで、コストも低くなる。
【０００６】
上記発明の改良として、前記点検回路はモーターのメインコイル上に直列連結される精密ノンインダクティブレジスタンスR1となっており、精密ノンインダクティブレジスタンスR1の抵抗値範囲は、20mΩ〜100mΩであり、モーターの定額電流の大きさと起動に必要とする起動コイルの切り替え時間によって、適当な抵抗値を選択するので、回路の構造がシンプルになり、製造コストも低くなる。
【０００７】
上記発明の改良として、前記トリガー回路は主に光電双方向サイリスター駆動器IC1によって構成されており、光電双方向サイリスター駆動器でメインコイルと起動コイルに加えられる電圧の極性を隔離することによって、メインコイル回路のサンプリング・コントロール信号と起動コイル回路は完全に分けられるので、起動コイル上に加えられる電圧極性変化の影響を受けず、前記電子スイッチ回路によってモーターが右回り又は左回りに起動される場合、起動コイルの接続線とは関係なく、コントロール電圧の極性によってコントロールされるようになる。
【０００８】
上記発明の改良として、前記電子スイッチ回路には、1つの双方向サイリスターBGが含まれるので、回路の構造がもっとシンプルになる。
【０００９】
上記発明の改良として、電子スイッチには、また、1つの電圧依存性抵抗R5を含ませることもでき、電圧依存性抵抗R5は双方向サイリスターBGと並列連結され、双方向サイリスターに加えられる高圧の吸収に使われる保護素子となる。
【００１０】
上記発明の改良として、前記モーター起動コイル運行回路の電源入力端には電源極性切り替え装置が接続されており、起動コイル運行回路に加えられるコントロール電圧の極性を手軽に変えることができる。
【００１１】
前記発明の改良として、前記整流ウェーブフィルター回路には、1つのダイオードD1や、コンデンサーC1、コンデンサーC2などが含まれているので、回路の構造がシンプルで、コストも低くなる。
【発明を実施するための最良の形態】
【００１２】
図1、図2に示されているとおり、本発明には、点検回路2や、整流ウエーブフィルター回路3、トリガー回路4及び電子スイッチ回路5などが含まれており、その中の点検回路2はモーターのメインコイル1と直列連結となっており、電子スイッチ回路5はモーター起動コイル6と直列連結となっており、点検回路2はモーターのメインコイル1電流パラメータを点検信号に転換させるが、当該点検信号は整流ウエーブフィルター回路3の処理を経てトリガー回路4の入力端に送られ、トリガー回路4は当該点検回路の信号によって、電子回路スイッチ5の開閉をコントロールし、モーター起動コイル6のオン又はオフをコントロールする。
【００１３】
前記点検回路2は、モーターのメインコイル1上に直列連結される精密ノンインダクティブレジスタンスR1となっており、精密ノンインダクティブレジスタンスR1の抵抗値範囲は、20mΩ〜100mΩである。前記トリガー回路4には、光電双方向サイリスター駆動器IC1や、抵抗R2、抵抗R3、抵抗R4などが含まれている。
【００１４】
前記電子スイッチ回路5には、また、1つの電圧依存性抵抗R5を含ませることができ、電圧依存性抵抗R5は双方向サイリスターBGと並列連結される。前記モータ起動コイル6の作動回路の電源入力端には電源極性切り替え装置が接続される。前記整流ウェーブフィルター回路3には1つのダイオードD1や、コンデンサーC1、コンデンサーC2が含まれる。電源極性切り替え装置は転換スイッチKとなっており、転換スイッチを上に上げたり、下に下ろしたりすることによって、モーター起動コイル6の運行回路の電源入力端の極性を転換することができる。
【００１５】
本発明実施形態の作動原理は次の通りである。すなわち、モーターのメインコイル1の運行回路両端にそれぞれW-Bk端とBU端を接続するが、モーターのメインコイル1が起動される場合、モーターの起動段階にモーターのメインコイル1を流れる電流は大から小へと変化し、精密ノンインダクティブレジスタンスR1にて生じるプレッシャードロップも大から小へと変化する。
【００１６】
起動が始まった段階で、精密ノンインダクティブレジスタンスR1にて生じたプレッシャードロップが十分大きい場合、当該プレッシャードロップ信号は整流ウェーブフィルター回路3を通じてトリガー回路4を駆動し、トリガー回路4は電子スイッチ回路5中の1つの双方向サイリスターBGを導通し、モーター起動コイル6の運行回路運行が始まり、モーターの回転子を回転させる。回転スピードがシンクロナス回転スピードの70〜85％になると、モーターのメインコイル1を流れる電流は小さくなり、精密ノンインダクティブレジスタンスR1上にて生じるプレッシャードロップは十分小さくなる。
【００１７】
当該プレッシャードロップ信号は整流ウェーブフィルター回路3を通じてトリガー回路4を起動することができなく、トリガー回路4は電子スイッチ回路5中の1つの双方向サイリスターBGは中止となり、モーター起動コイル6の運行回路は「切」になる。モーターの回転方向を変えたい場合は、電源極性切り替え装置がモーター起動コイル6の運行回路に加える電圧の極性を変えるだけで済み、モーターのメインコイル1の運行回路に加えられる電圧の極性を変える必要がないので、操作がシンプル且つ便利になる。
【図面の簡単な説明】
【００１８】
【図１】本発明の回路枠図である。
【図２】図1に対応する回路図である。
【符号の説明】
【００１９】
メインコイル…1    点検回路…2    整流ウエーブフィルター回路…3
トリガー回路…4    電子スイッチ回路…5    モーター起動コイル…6
コンデンサー…C1、C2    ダイオード…D1    双方向サイリスター…BG
精密ノンインダクティブレジスタンス…R1    抵抗…R2、R3、R4
電圧依存性抵抗…R5
【図１】
2009165341.tif 000003
【図２】
2009165341.tif 000004